(57)【要約】【課題】  外観から完全に磁性パーツの露出が見えないように工夫して視覚の美しさを増加した内蔵吸付け式親子眼鏡を提供する。【解決手段】  親眼鏡フレーム１及び一つの子眼鏡フレーム２からなり、親眼鏡フレーム１は、フレームの底部に窪み１１を設けている。窪み１１の中に少なくとも一つ以上の磁性パーツ１２を埋設している。磁性パーツ１２は強力でＮ極、Ｓ極が左右になっているものが一番好ましく、また強力磁性パーツ１２の底側に予め一つのパッド１３を設けておく。子眼鏡フレーム２は、フレームの所にП形体２１を設けている。П形体２１の両側内にそれぞれ少なくとも一つ以上の磁性パーツ２２を埋設している。親眼鏡フレーム１の窪み１１の中にある磁性パーツ１２が子眼鏡フレーム２のП形体２１の中にある磁性パーツ２２と互いに吸付き、定位した固着の状態となる。【選択図】    図５
0003105426.tif 000002
【実用新案登録請求の範囲】
【請求項１】
内蔵吸付け式親子眼鏡であって、一つの親眼鏡フレームと一つの子眼鏡フレームとの組み合わせからなり、
親眼鏡フレームは、フレームの底部に窪みを設け、窪みの中に少なくとも一つ以上の磁性パーツを埋設して、磁性パーツの底側に予め一つのパッドが設けられており、
子眼鏡フレームは、フレームにП形体を設けて、そのП形体の両側内に其々少なくとも一つ以上の磁性パーツが埋設されていることを特徴とする内蔵吸付け式親子眼鏡。
【請求項２】
子眼鏡および親眼鏡の磁性パーツは、吸付けられるパーツを用いることも可能であることを特徴とする請求項１記載の内蔵吸付け式親子眼鏡。
【請求項３】
親眼鏡フレームの中にある磁性パーツはＮ極、Ｓ極が左右になっていることを特徴とする請求項１記載の内蔵吸付け式親子眼鏡。
【請求項４】
パッドは鉄製であることを特徴とする請求項１記載の内蔵吸付け式親子眼鏡。
【請求項５】
磁性パーツは強力な磁性部材からなることを特徴とする請求項１記載の内蔵吸付け式親子眼鏡。
【考案の詳細な説明】
【技術分野】
【０００１】
本考案は、眼鏡に関する。
【背景技術】
【０００２】
近年来、近眼になった人の増加及びその年齢の低下に従って眼鏡をかけて視力を矯正する必要のある人の数は、増加している。また室外で眩しい日差しによって目に傷害を与えるおそれが発生するため、外で活動する時、サングラスをかけて強い日差しの直射を防止することが必要となっている。他にもう一つ独立したサングラスを用意したりしないように、サングラスへの取付を簡易にするため、其々スタイルの異なる、図１から図３に示すような磁性を有する吸付けの眼鏡が市販されたのである。
【考案の開示】
【考案が解決しようとする課題】
【０００３】
上述のような磁性を有する吸付け式親子眼鏡３０、４０において、その磁性パーツ３０ａ、磁性パーツ４０ａは皆上から下へ、または左から右へと親子眼鏡のリム３０ｂ、リム４０ｂ（例えばブリッジ、パッドアーム或いはフレーム）の中に入れるものである。図四に示すように、磁性パーツ３０ａ、且磁性パーツ４０ａは皆リム３０ｂ、リム４０ｂの外に露出している。従って長期にわたって使用すると、磁性パーツ３０ａ、磁性パーツ４０ａは埃または不純物が表面に付いたり錆がついたりすることがよく見られる。また、磁性パーツ３０ａ、磁性パーツ４０ａは物自体が色彩磁石で構成したものではないため、往々にしてリム３０ｂ、リム４０ｂの色と同じになれず、外観から見ると釣り合わなくなって視覚での美しさが損ねられている。
【０００４】
したがって本考案の目的は、従来知られたマグネット式眼鏡は設計上で理想的ではないことを考慮し、良いことを更によくさせる精神を以って、上記のような欠点に対して改良を加え、親子眼鏡のフレームに外観から完全に磁性パーツの露出が見えないように工夫して視覚の美しさを増加した内蔵吸付け式親子眼鏡を提供することにある。
【課題を解決するための手段】
【０００５】
上述の目的を達成するために本考案の請求項に記載の内蔵吸付け式親子眼鏡は、一つの親眼鏡フレームと一つの子眼鏡フレームとの組み合わせからなる。親眼鏡とは、フレームの底部に窪みを設けて、窪みの中に少なくとも一つ以上の磁性パーツを埋設して、且磁性パーツの底側に一つのパッドを予め設けておくものである。子眼鏡とは、フレームにП形体を設けて、そのП形体の両側内にそれぞれ少なくとも一つ以上の磁性パーツを埋設したものである。上記の部品を組立てることによって、親子眼鏡のフレームは外観から見ると完全に磁性パーツの露出が見えなくなる。それは美観だけではなく、更に磁性パーツの使用寿命も延長可能とする。
【考案を実施するための最良の形態】
【０００６】
以下、本考案の実施例を図面に基づいて説明する。
図５に示すように、本考案の実施例による内蔵吸付け式親子眼鏡は一つの親眼鏡フレーム１及び一つの子眼鏡フレーム２からなる。
【０００７】
親眼鏡フレーム１とは、フレームの底部に（例えばブリッジまたはフレームの両側の端）窪み１１を設けている。窪み１１の中に少なくとも一つ以上の磁性パーツ１２（或いはその他の、吸付けられるようなパーツ）を埋設している。磁性パーツ１２は強力でＮ極、Ｓ極が左右になっているものが一番好ましく、また強力磁性パーツ１２の底側に予め一つのパッド１３（鉄物が好ましいが）を設けておくものである。
【０００８】
子眼鏡フレーム２とは、フレームの所に（例えばブリッジまたはフレームの両側の端）一つのП形体２１を設けている。П形体２１の両側内にそれぞれ少なくとも一つ以上の磁性パーツ２２（或いはその他の、吸付けられるようなパーツ）を埋設して、その磁性パーツは強力なものが一番好ましい。
【０００９】
組立てて実施する時は、図６に示すように、まず、磁性パーツ１２を親眼鏡フレーム１に設けた窪み１１に入れておき、それからパッド１３を入れ、パッド１３が磁性パーツ１２に吸付けられるようにさせる。あるいは、まず磁性パーツ１２とパッド３とを一緒に窪み１１の中に入れることも可能である。続けて、親眼鏡、子眼鏡のフレーム２、フレーム１に色をつけて同じ色にしてから、子眼鏡フレーム２のП形体２１をそのまま親眼鏡フレーム１の両側に入れる。そうすると親眼鏡フレーム１の窪み１１の中にある磁性パーツ１２（或いはその他の、吸付けられるようなもの）が子眼鏡フレーム２のП形体２１の中にある磁性パーツ２２（或いはその他の、吸付けられるようなもの）と互いに吸付き、図７、図８に示すように定位した固着の状態となる。
【００１０】
本考案の別の実施例では、図９に示すように、親子眼鏡フレーム２、フレーム１の両側の端において其々一つ以上の磁性パーツ１２、磁性パーツ２２を予め設けておく。続けて子眼鏡フレーム２の両側の端にあるП形体２１をそのまま親眼鏡フレーム１の両側の端に入れる。そうすると親眼鏡フレーム１の窪み１１の中にある磁性パーツ１２（或いはその他の、吸付けられるようなもの）と子眼鏡フレーム２のП形体２１の中にある磁性パーツ２２（或いはその他の、吸付けられるようなもの）とが互いに吸付き、図１０に示すように一つの定位した固着の状態となる。
【００１１】
上述の実施例の説明によって少なくとも以下のような長所を持つことが判明する。
実施例による親子眼鏡フレームの中にある磁性パーツ（或いはその他の、吸付けられるようなもの）は完全にフレームの中に埋設されたため、外観から見ると完全に磁性パーツの露出が見えず、美観だけでなく、更に磁性パーツの使用寿命が延長可能であること（磁性パーツに錆がつかない）も兼ねている。
【００１２】
実施例による親眼鏡フレームの中にある磁性パーツはＮ極、Ｓ極が左右になっているように入れたため、フレームがより扁平状になることが可能であり、前方から見ると外観がより精緻になり、磁性の吸付けを強化して実用性のあるものになる。
【００１３】
上述したものは本考案の一つよりよい実施例に過ぎないものであるためにそれを以って本考案の実施範囲を限定することはできないものである。凡そ本考案の特許請求範囲によった、均等な変化と修飾は皆本考案の特許範囲に属すべきものである。
【図面の簡単な説明】
【００１４】
【図１】従来の親子眼鏡を示す分解図（一）である。
【図２】従来の親子眼鏡を示す分解図（二）である。
【図３】従来の親子眼鏡を示す分解図（三）である。
【図４】従来の親子眼鏡を示す分解図（四）である。
【図５】本考案の実施例による内蔵吸付け式親子眼鏡を示す分解図（一）である。
【図６】本考案の実施例による内蔵吸付け式親子眼鏡を示す分解図（二）である。
【図７】本考案の実施例による内蔵吸付け式親子眼鏡の組立てる時の断面からみた動作を示す概略図である。
【図８】本考案の実施例による内蔵吸付け式親子眼鏡の組立てる時の断面からみた動作を示す概略図である。
【図９】本考案の別の実施例による内蔵吸付け式親子眼鏡が使用される時の分解図である。
【図１０】図９に示した実施例の組立てを断面から見た概略図である。
【符号の説明】
【００１５】
１  親眼鏡フレーム、２  子眼鏡フレーム、１１  窪み、１２  磁性パーツ、１３  パッド、２１  П形体、２２  磁性パーツ
【図１】
0003105426.tif 000003
【図２】
0003105426.tif 000004
【図３】
0003105426.tif 000005
【図４】
0003105426.tif 000006
【図５】
0003105426.tif 000007
【図６】
0003105426.tif 000008
【図７】
0003105426.tif 000009
【図８】
0003105426.tif 000010
【図９】
0003105426.tif 000011
【図１０】
0003105426.tif 000012